【手続補正書】
【提出日】平成18年8月18日(2006.8.18)
【手続補正１】
【補正対象書類名】明細書
【補正対象項目名】特許請求の範囲
【補正方法】変更
【補正の内容】
【特許請求の範囲】
【請求項１】  編集装置で作成された表示データや、表示データの表示形態に関するコマンドおよび表示スケジュールに関するコマンドに従って表示データの出力制御を行う表示プログラムを通信回線を使用して編集装置から表示装置に送信し、送信された表示データ及び表示プログラムに従って表示を行う表示装置において、
前記編集装置との間で表示データ及び表示プログラムの通信を行う送受信部と、
該送受信部で受信した表示データ及び表示プログラムを記憶する記憶部と、
該記憶部に記憶された表示データに基づいて発光素子を発光させることで文字や図形等を表示する表示部と、
前記編集装置から送信された表示データ及び表示プログラムを前記記憶部の所定領域へ書き込む制御を行うと共に、前記記憶部に記憶された表示プログラムの実行制御を行う制御部と、を備え、
前記編集装置から送信された表示データ及び表示プログラムを前記送受信部で受信すると、受信した内容を自動的に前記記憶部に記憶させ、前記記憶部に記憶した表示プログラムを実行させることで表示データを前記表示部に表示することを特徴とする表示装置。
【請求項２】  請求項１記載の表示装置において、前記送受信部へ表示データ及び表示プログラムが送信されてきているかを検出する受信検出部を備え、該受信検出部にて表示データ及び表示プログラムが送信されてきていることを検出すると前記送受信部での受信を開始し、受信した表示データ及び表示プログラムを前記記憶部に書き込み、前記記憶部への書き込みが終了すると書き込んだ表示プログラムに対して前記制御部から実行命令を出力することを特徴とする請求項１記載の表示装置。
【請求項３】  請求項１または２何れか記載の表示装置において、前記送受信部へ送信されてきた内容が表示プログラムであるのか表示データなのかを判別する内容判別部を備え、該内容判別部の判別結果によって前記記憶部の所定の領域に表示プログラムあるいは表示データの書き込みを行うことを特徴とする表示装置。
【請求項４】  請求項１乃至３何れか記載の表示装置において、表示データ及び表示プログラムには前記編集装置によって識別コードが付与され、表示装置には前記送受信部に送信されてきた表示データ及び表示プログラムの識別コードと前記記憶部に記憶されている表示データ及び表示プログラムの識別コードとを比較判別する比較部を備え、該比較部によって前記記憶部に記憶されている表示データ及び表示プログラムを更新する必要があるかを判別し、更新が必要な場合のみ前記送受信部に送信されてきた表示データあるいは表示プログラムを前記記憶部の所定の領域に書き込むことを特徴とする表示装置。
【請求項５】  請求項１乃至４何れか記載の表示装置において、前記記憶部に表示データ及び表示プログラムが記憶されているか否かを検出するプログラム検出部を備え、該プログラム検出部によって表示データあるいは表示プログラムが記憶されていないことが検出されると、前記編集装置に対して所定のエラー信号を送信することを特徴とする表示装置。
【請求項６】  請求項１乃至５何れか記載の表示装置において、前記記憶部の領域を、前記表示部で表示動作を行うための表示データ及び表示プログラムを記憶する実行用プログラム領域・データ領域と、前記編集装置から送信されてきた表示データ及び表示プログラムを記憶する一時格納用プログラム領域・データ領域とに分割し、前記編集装置から送信されてきた表示データ及び表示プログラムを一時格納用プログラム領域・データ領域に記憶させておき、実行用プログラム領域の表示プログラム終了時に一時格納用プログラム領域・データ領域から実行用プログラム領域・データ領域に移動させることで表示データ及び表示プログラムの更新を行うことを特徴とする表示装置。
【手続補正２】
【補正対象書類名】明細書
【補正対象項目名】０００２
【補正方法】変更
【補正の内容】
【０００２】
【従来の技術】
従来から知られている発光素子を複数発光させて文字あるいは図形情報を発光表示するＬＥＤ表示装置は、表示装置本体内の記憶部であるＥＰＲＯＭに表示プログラム及び制御プログラムを予め記憶させておき、文字あるいは図形等の表示データはパソコン等の編集装置によって書き込まれたメモリーカードを表示装置に備えられたソケットに装着し、メモリーカードから表示プログラムに従って順次呼び出され表示部に表示させているか、あるいはメモリーカードに書き込まれた表示データを表示装置内の記憶部であるフラッシュメモリに書き込みフラッシュメモリから表示プログラムに従って順次呼び出され表示部に表示させるようにしている。このような表示装置は不特定多数の人目に触れるように屋外の高所に設置してあるものがほとんどである。また、表示データを電話回線等の通信回線を利用して遠隔地にある表示装置に送信し表示部に表示させるようにしているものもある。
【手続補正３】
【補正対象書類名】明細書
【補正対象項目名】０００４
【補正方法】変更
【補正の内容】
【０００４】
【課題を解決するための手段】
（１）上記課題を解決するため、本発明は、編集装置で作成された表示データや、表示データの表示形態に関するコマンドおよび表示スケジュールに関するコマンドに従って表示データの出力制御を行う表示プログラムを通信回線を使用して編集装置から表示装置に送信し、送信された表示データ及び表示プログラムに従って表示を行う表示装置において、前記編集装置との間で表示データ及び表示プログラムの通信を行う送受信部と、該送受信部で受信した表示データ及び表示プログラムを記憶する記憶部と、該記憶部に記憶された表示データに基づいて発光素子を発光させることで文字や図形等を表示する表示部と、前記編集装置から送信された表示データ及び表示プログラムを前記記憶部の所定領域へ書き込む制御を行うと共に、前記記憶部に記憶された表示プログラムの実行制御を行う制御部と、を備え、前記編集装置から送信された表示データ及び表示プログラムを前記送受信部で受信すると、受信した内容を自動的に前記記憶部に記憶させ、前記記憶部に記憶した表示プログラムを実行させることで表示データを前記表示部に表示することを特徴とする表示装置を提案する。
【手続補正４】
【補正対象書類名】明細書
【補正対象項目名】０００５
【補正方法】変更
【補正の内容】
【０００５】
（２）上記提案の表示装置は、前記送受信部へ表示データ及び表示プログラムが送信されてきているかを検出する受信検出部を備え、該受信検出部にて表示データ及び表示プログラムが送信されてきていることを検出すると前記送受信部での受信を開始し、受信した表示データ及び表示プログラムを前記記憶部に書き込み、前記記憶部への書き込みが終了すると書き込んだ表示プログラムに対して前記制御部から実行命令を出力することが望ましい。
【手続補正５】
【補正対象書類名】明細書
【補正対象項目名】０００６
【補正方法】変更
【補正の内容】
【０００６】
（３）また、上記提案の表示装置は、前記送受信部へ送信されてきた内容が表示プログラムであるのか表示データなのかを判別する内容判別部を備え、該内容判別部の判別結果によって前記記憶部の所定の領域に表示プログラムあるいは表示データの書き込みを行うことが望ましい。
【手続補正６】
【補正対象書類名】明細書
【補正対象項目名】０００７
【補正方法】変更
【補正の内容】
【０００７】
（４）また、上記提案の表示装置は、表示データ及び表示プログラムには前記編集装置によって識別コードが付与され、表示装置には前記送受信部に送信されてきた表示データ及び表示プログラムの識別コードと前記記憶部に記憶されている表示データ及び表示プログラムの識別コードとを比較判別する比較部を備え、該比較部によって前記記憶部に記憶されている表示データ及び表示プログラムを更新する必要があるかを判別し、更新が必要な場合のみ前記送受信部に送信されてきた表示データあるいは表示プログラムを前記記憶部の所定の領域に書き込むことが望ましい。
【手続補正７】
【補正対象書類名】明細書
【補正対象項目名】０００８
【補正方法】変更
【補正の内容】
【０００８】
（５）また、上記提案の表示装置は、前記記憶部に表示データ及び表示プログラムが記憶されているか否かを検出するプログラム検出部を備え、該プログラム検出部によって表示データあるいは表示プログラムが記憶されていないことが検出されると、前記編集装置に対して所定のエラー信号を送信することが望ましい。
【手続補正８】
【補正対象書類名】明細書
【補正対象項目名】０００９
【補正方法】変更
【補正の内容】
【０００９】
（６）また、上記提案の表示装置は、前記記憶部の領域を、前記表示部で表示動作を行うための表示データ及び表示プログラムを記憶する実行用プログラム領域・データ領域と、前記編集装置から送信されてきた表示データ及び表示プログラムを記憶する一時格納用プログラム領域・データ領域とに分割し、前記編集装置から送信されてきた表示データ及び表示プログラムを一時格納用プログラム領域・データ領域に記憶させておき、実行用プログラム領域の表示プログラム終了時に一時格納用プログラム領域・データ領域から実行用プログラム領域・データ領域に移動させることで表示データ及び表示プログラムの更新を行うことが望ましい。